(57)【要約】  【目的】光ディスクの記録領域の始端及び終端における記録材料の劣化を抑制することができる光ディスク装置の記録方法などを提供すること。  【構成】データを記録する断続的な記録領域１１６ａ乃至１１６ｆを有する光ディスクに記録再生を行う光ディスク装置の記録方法において、データを記録する場合、記記録領域の隣接領域を再生に用いる光のパワー１３３より大きい光のパワー１３２で照射し、且つ照射を開始する位置はデータを記録するデータ領域以外の領域であり、又は照射を終了する位置はデータを記録するデータ領域以外の領域である光ディスク装置の記録方法。  【選択図】図８
2005056577.tif 000002
【特許請求の範囲】
【請求項１】
データを記録する断続的な記録領域を有する光ディスクに記録再生を行う光ディスク装置の記録方法において、
前記データを記録する場合、前記記録領域の隣接領域を再生に用いる光のパワーより大きい光のパワーで照射し、且つ前記照射を開始する位置はデータを記録するデータ領域以外の領域であり、又は前記照射を終了する位置はデータを記録するデータ領域以外の領域であることを特徴とする光ディスク装置の記録方法。
【請求項２】
データを記録する断続的な記録領域を有する光ディスクに記録再生を行う光ディスク装置において、
前記データを記録する場合、前記記録領域の隣接領域を再生に用いる光のパワーより大きい光のパワーで照射し、且つ前記照射を開始する位置はデータを記録するデータ領域以外の領域であり、又は前記照射を終了する位置はデータを記録するデータ領域以外の領域であることを特徴とする光ディスク装置。
【発明の詳細な説明】
【技術分野】
【０００１】
本発明は、光学的に記録再生を行う光ディスク装置の記録方法、及び光ディスク装置に関するものである。
【背景技術】
【０００２】
近年、光ディスク装置は大容量のデータを記録再生する手段として盛んに開発が行われている。
【０００３】
以下図面を参照しながら、ＳＳ（サンプルサーボ）方式でトラッキング制御を行う光ディスク及び光ディスク装置を例にとって説明する。
【０００４】
図１１に従来のＳＳ（サンプルサーボ）方式の相変化型光ディスクのフォーマットの一例を示す。光ディスク１１１は全周が複数のセクタ１１２に分かれている。各セクタ１１２は１つのアドレス領域１１３と、複数のセグメント１１４に分かれており、各セグメント１１４はサーボ領域１１５と記録領域１１６に分かれている。
【０００５】
サーボ領域１１５には千鳥足状のウォーブルピット１１８ａ、１１８ｂとクロックピット１１９が形成されている。１１７はトラックの中心位置である。１１１０はレーザの光スポットである。光スポット１１１０がトラックの中心にあるときは千鳥足状のウォーブルピット１１８ａと１１８ｂにおいて返ってくる反射光量が等しくなることから、ウォーブルピット１１８ａ、１１８ｂから得られる信号の差からトラッキング信号をつくることができる。
【０００６】
又、クロックピット１１９は光スポット１１１０がウォーブルピット１１８ａ、１１８ｂを通過したときにおのおのの反射光量を検出するタイミングをつくるためのピットである。ウォーブルピット１１８ａ、１１８ｂ、クロックピット１１９はスタンピングの時にあらかじめ作られている。
【０００７】
図１２に従来の相変化型光ディスク装置のトラッキング信号検出回路の一例を示す。光スポット１１１０が通過したときの反射光量から得られる再生信号１２１はスイッチ回路１２３へ導かれる。スイッチ回路１２３では、クロックピット１１９の再生信号からつくられたサンプルホールド回路切り替え信号１２２によって、例えばウォーブルピット１１８ａの再生信号はサンプルホールド回路１２４ａへ導かれ、ウォーブルピット１１８ｂの再生信号はサンプルホールド回路１２４ｂへ導かれる。サンプルホールド回路１２４ａ、１２４ｂから出力される信号は、差動増幅器１２５に入力され、そこでサンプルホールドされた信号の差をとることによりトラッキング信号１２６が出力される。
【０００８】
図１３は、従来の光ディスク装置においてデータを記録する場合に、図１１の光ディスク１１１のサーボ領域１１５と記録領域１１６を光スポット１１１０が通過するときの領域ごとのレーザ光の照射パワーを示したものである。
【０００９】
記録領域１１６では結晶状態からアモルファス状態へ相変化させるために必要な記録パワー１３１とアモルファス状態から結晶状態へ相変化させるために必要な消去パワー１３２の２値（データの１、０情報に対応する）でレーザを変調させて記録を行う。
【００１０】
サーボ領域１１５では、記録パワー１３１や消去パワー１３２のパワーに比べて、パワーの小さい再生パワー１３３でレーザを発光させ、光スポット１１１０がウォーブルピット１１８ａ、１１８ｂ、クロックピット１１９を通過したときの反射光量を検出する。
【発明の開示】
【発明が解決しようとする課題】
【００１１】
しかしながら、通常記録パワー１３１および消去パワー１３２は再生パワー１３３に比べて非常に大きい。一般に記録パワー１３１は１５ｍＷから２０ｍＷ、消去パワー１３２は記録パワー１３１の半分程度、再生パワー１３３は１ｍＷから２ｍＷ程度である。そのため記録パワー１３１および消去パワー１３２の照射される領域と再生パワー１３３の照射される領域とでは相変化材料の熱条件が大きく異なる。
【００１２】
従って上記のような構成では、繰り返し記録を行ったとき光ディスク１１１において最も急激に熱条件の変わる記録領域の始端及び終端から記録材料の劣化が始まるという課題がある。
【００１３】
本発明は、従来の光ディスクの劣化におけるこのような課題を考慮し、光ディスクの記録領域の始端及び終端における記録材料の劣化を抑制することができる光ディスク装置の記録方法、及び光ディスク装置を提供することを目的とするものである。
【００１４】
なお参考に、相変化型光ディスクにおける熱膨張による物質移動について説明する。
【００１５】
相変化型光ディスク１１１は一般にガラスやポリカーボネートの基板、ゲルマニウム、アンチモン、テルルなどからなる記録膜、記録膜の上下にあって記録膜を保護するための誘電体の保護膜、金やアルミニウムの反射膜から構成されるが保護膜は記録膜に比べて熱吸収が小さい。このために記録膜は熱吸収によって熱膨張をしやすいけれども保護膜はしにくいと考えられる。従って記録膜が熱膨張するとき、上下の保護膜から記録膜の熱膨張を妨げようとする力を受けることが予想される。
【００１６】
この様子を図１４に示す。図１４（ａ）は、相変化型光ディスク１１１及び、その記録領域１１６の一部断面図である。相変化型光ディスク１１１は、基板１４８の表面に保護膜１４２が形成され、その保護膜１４２の表面に記録膜１４１が形成され、その記録膜１４１の表面に保護膜１４２が形成され、その保護膜１４２の表面に反射膜１４７が形成された円盤状の光記録媒体である。図１４（ｂ）は、図１４（ａ）に示される記録領域１１６の断面における記録膜１４１および保護膜１４２の拡大図である。１４３は記録膜１４１の熱膨張をしている部分である。１４５は熱膨張をしている部分の移動前の位置、１４６は移動後の位置である。１４４は熱膨張を妨げようとする力である。図１４（ｂ）では熱膨張を妨げる力１４４の水平方向成分の力は図面上向かって右側なので、熱膨張している部分１４３は元の大きさに戻るときに図面上向かって右側に移動する。
【００１７】
このように、繰り返し記録を行ったとき、熱膨張を妨げようとする力１４４のために記録膜１４１は水平方向にわずかに物質移動させられ、移動により記録膜物質の少なくなったところから劣化が始まる。
【課題を解決するための手段】
【００１８】
第１の本発明は、データを記録する断続的な記録領域を有する光ディスクに記録再生を行う光ディスク装置の記録方法において、
前記データを記録する場合、前記記録領域の隣接領域を再生に用いる光のパワーより大きい光のパワーで照射し、且つ前記照射を開始する位置はデータを記録するデータ領域以外の領域であり、又は前記照射を終了する位置はデータを記録するデータ領域以外の領域であることを特徴とする光ディスク装置の記録方法である。
【００１９】
また、第２の本発明は、データを記録する断続的な記録領域を有する光ディスクに記録再生を行う光ディスク装置において、
前記データを記録する場合、前記記録領域の隣接領域を再生に用いる光のパワーより大きい光のパワーで照射し、且つ前記照射を開始する位置はデータを記録するデータ領域以外の領域であり、又は前記照射を終了する位置はデータを記録するデータ領域以外の領域であることを特徴とする光ディスク装置である。
【発明の効果】
【００２０】
本発明は、光ディスクの記録領域の始端及び終端における記録材料の劣化を抑制することができるという長所を有する。
【発明を実施するための最良の形態】
【００２１】
以下に、本発明をその実施の形態を示す図面に基づいて説明する。
【００２２】
図１は、本発明にかかる第１の実施の形態の光ディスク装置及びその光駆動方法における、領域毎のレーザ光の照射パワーの波形を示す図である。図１において、光ディスクは図１１と同様のフォーマットであり、サーボ領域１１５と記録領域１１６を光スポット１１１０が通過するときの領域ごとのレーザ光の照射パワーを示す。
【００２３】
まず、記録領域１１６では、結晶状態からアモルファス状態へ相変化させるために必要な記録パワー１３１とアモルファス状態から結晶状態へ相変化させるために必要な消去パワー１３２の２値を記録するデータに応じて用い、レーザを発光させてパワー変調を行う。
【００２４】
一方、サーボ領域１１５では、再生パワー１３３よりも大きい、例えば消去パワー１３２によりレーザを発光させ、その光スポット１１１０がウォーブルピット１１８ａ、１１８ｂ、クロックピット１１９を通過したときの反射光量を検出する。
【００２５】
このように、サーボ領域１１５を消去パワー１３２のレーザ光により照射すれば、記録領域１１６とサーボ領域１１５との熱条件が大きく変化することを抑制できる。
【００２６】
図２に上記実施の形態の相変化型光ディスク装置のトラッキング信号検出系のブロック図を示す。すなわち、トラッキング信号検出系の回路には、サーボ領域１１５から入力された再生信号２０のゲインを、ゲイン切り替え信号２２に応じて切り替えるゲイン切り替え回路２１が設けられ、そのゲイン切り替え回路２１には、トラッキング信号１２６を出力するトラッキング信号検出回路１２０が接続されている。そのトラッキング信号検出回路１２０は、サンプルホールド切り替え信号１２２に応じて入力信号を切り替えるスイッチ回路１２３、切り替えられた入力信号をそれぞれサンプルホールドするサンプルホールド回路１２４ａ，１２４ｂ、及びサンプルホールドされた信号の差をとり、トラッキング信号１２６を出力する差動増幅器１２５により構成されている。
【００２７】
前述のように、サーボ領域１１５は再生パワー１３３よりも大きいパワーでレーザ光を照射するためサーボ信号を次のようにして得る。
【００２８】
まず、光スポット１１１０が通過したときの反射光から得られる再生信号２０はゲイン切り替え回路２１に入力される。
【００２９】
図３は、ゲイン切り替え回路２１の一例を示すブロック図である。ゲイン切り換え回路２１は、サーボ領域１１５からの、記録時と再生時における再生信号２０のレベル（記録時は消去パワー１３２用いて再生するため、再生時と比べてレベルが異なっている）を合わせるために、経路を切り替えるための回路である。又、増幅器３５，３６及び抵抗器３１，３２，３３，３４が減衰器を構成し、ゲイン切り替え信号２２により、スイッチ回路３７が切り替わる。
【００３０】
再生時にはスイッチ回路３７の接点３９側がＯＮとなり、再生信号２０は直接接点３９を通って信号３１０として出力される。
【００３１】
一方、記録時にはスイッチ回路３７の接点３８側がＯＮとなり、増幅器３５、３６により減衰され、接点３８を通って信号３１０として出力される。このようにスイッチ回路３７を切り替えるのは、上述したようにサーボ領域１１５を再生パワー１３３よりも大きい、例えば消去パワー１３２のレーザ光を照射するので反射光量が再生時よりも大きくなるからである。
【００３２】
このようにして記録時における再生と再生時とで照射するレーザ光のパワーが異なっても、ゲイン切り替え回路２１によって光スポット１１１０が記録時における再生と再生時とで同じ位置を通過するときには同じ大きさの信号３１０が得られる。
【００３３】
ゲイン切り替え回路２１から出力された信号３１０は、次にトラッキング信号検出回路１２０に入力される。トラッキング信号検出回路１２０では、まず信号３１０がスイッチ回路１２３へ入力され、そこでクロックピット１１９からの再生信号からつくられたサンプルホールド回路切り換え信号１２２によって、例えばウォーブルピット１１８ａからの再生信号はサンプルホールド回路１２４ａへ導かれ、ウォーブルピット１１８ｂからの再生信号はサンプルホールド回路１２４ｂへ導かれるように切り替えられる。
【００３４】
次に、サンプルホールド回路１２４ａ、１２４ｂでサンプルホールドされた出力信号は、差動増幅器１２５に入力され、その入力の差をとることによりトラッキング信号１２６が得られる。
【００３５】
以上のように本例によれば、サーボ領域１１５を消去パワー１３２のレーザ光で照射することにより、従来繰り返し記録を行ったときに光ディスクにおいて最も急激に熱条件の変わっていた記録領域１１６の始端及び終端における記録材料の劣化を抑えることが出来る。
【００３６】
更に、ここまではトラッキング信号１２６の検出を例に説明をしてきたが、ＳＳ（サンプルサーボ）方式におけるフォーカスを行う領域や、ＳＳ（サンプルサーボ）方式あるいは連続溝方式におけるアドレス領域も、一般に再生パワー１３３のレーザ光を照射する。ここで、再生時に再生パワー１３３のレーザ光を照射する記録領域以外の任意の領域（例えば凹凸で形成された領域）を再生領域（再生専用領域）と呼ぶことにする。
【００３７】
なお、上記実施の形態では、ゲイン切り替え回路２１において再生信号２０は、再生時には接点３９をそのまま通り、記録時には増幅器３５、３６により減衰されて接点３８から信号３１０になると説明したが、これに代えて、例えば記録時に接点３９をそのまま通り、再生時に増幅器３５、３６により増幅されて接点３８から信号３１０となる場合も同等の効果を有する。
【００３８】
また、上記実施の形態では、光ディスクのフォーマットは図１１で示されるフォーマットを例に説明したが、これに限らず、記録領域と再生領域が隣接する任意の書換型の光ディスクに対しても同等の効果を有する。
【００３９】
図４は、本発明にかかる第２の実施の形態の光ディスク装置のブロック図である。図４において、４０は光ディスク１１１に記録再生を行う光学ヘッド、４１はその光学ヘッド４０のレーザを発光させるレーザ駆動回路である。それら光学ヘッド４０及びレーザ駆動回路４１のブロック図を図６に示す。
【００４０】
図６において、光学ヘッド４０に設けられた６８はレーザ、６９は受光素子である。又、レーザ駆動回路４１の、６５は再生パワー１３３でレーザ６８を発光させるための電流源、６６は消去パワー１３２でレーザ６８を発光させるための電流源である。このときレーザ６８は電流源６５、６６を流れる２つの電流の合成により消去パワー１３２で発光する。６７はレーザ６８を記録パワー１３１で発光させるための電流源である。このときレーザ６８は電流源６５、６６、６７を流れる３つの電流の合成により記録パワー１３１で発光する。
【００４１】
又、６１は電流源６６を制御するスイッチであり、このスイッチ６１は信号２２が立ち上がるとオンされる。６２は電流源６７を制御するスイッチであり、このスイッチ６２は信号４１１が立ち上がるとオンされる。
【００４２】
図４において、４２は光学ヘッド４０からの出力を再生する再生回路である。再生回路４２の出力である再生信号２０は、第１の実施の形態と同様にゲイン切り替え回路２１に入力され、光スポット１１１０が記録時における再生と再生時とで同じ位置を通過するときには同じ大きさの信号３１０が得られる。
【００４３】
信号３１０はトラッキング信号検出回路１２０に入力され、トラッキング信号１２６が出力される。４３はアドレス検出回路であり、信号３１０からアドレスを検出する。４４は記録するべき領域のアドレスを検出する記録アドレス検出回路である。
【００４４】
４８はゲイン切り替え信号発生回路であり、このゲイン切り替え信号発生回路４８は、例えばアンド回路４５、４６とセットリセットフリップフロップ４７から構成される。
【００４５】
以上のアドレス検出回路４３がアドレス検出手段を構成し、ゲイン切り替え信号発生回路４８が変更信号出力手段を構成し、レーザ駆動回路４１がパワー制御手段を構成し、又、それらアドレス検出手段、変更信号出力手段及び、パワー制御手段が光パワー変更手段を構成している。
【００４６】
又、ゲイン切り替え信号発生回路４８は、アドレス検出回路４３の出力信号４９と記録アドレス検出回路４４の出力信号４１０からゲイン切り替え信号２２を出力する。この様子を図５に示す。
【００４７】
図５は、ゲイン切り替え信号２２を生成するためのタイミングチャートおよびレーザ６８の光スポット１１１０が通過する領域ごとのレーザ光の照射パワーを示す。なお図５は記録開始時および記録終了時のレーザ光の照射パワーの様子を明確にするために二つのアドレス領域１１３の間にある記録領域１１６及びサーボ領域１１５の数を減らして示している。
【００４８】
図５において、４９はアドレス検出回路４３の出力信号であり、アドレスを検出するとクロックが立つ。４１０は記録アドレス検出回路４４の出力信号であり、記録するべきアドレスを検出するとクロックが立つ。
【００４９】
ゲイン切り替え信号発生回路４８の出力であるゲイン切り替え信号２２は信号４９のクロックと信号４１０のクロックが共に立ったときに立ち上がり、次に信号４９のクロックだけが立ったときに立ち下がる。
【００５０】
ゲイン切り替え信号２２が立ち上がるとゲイン切り替え回路２１のスイッチ回路３７のスイッチが切り替わると共にレーザ駆動回路４１のスイッチ６１がオンになり、レーザ６８は消去パワー１３２で発光する。この状態で記録信号４１１が記録領域１１６で立ち上がると、レーザ駆動回路４１のスイッチ６２がオンになり、レーザ６８は記録パワー１３１で発光する。
【００５１】
５５はレーザ６８の光スポット１１１０が通過する領域ごとのレーザ光の照射パワーを示す。記録は記録領域１１６ａの始端から開始する。記録領域１１６ａの始端で再生パワー１３３から消去パワー１３２あるいは記録パワー１３１に立ち上がり（記録開始時の最初の記録信号４１１の状態による）、レーザ６８は、記録領域１１６ａ、１１６ｂ、１１６ｃ、１１６ｄでは信号２２、４１１に対応して記録パワー１３１と消去パワー１３２の２値で発光し、アドレス領域１１３ｂ、サーボ領域１１５ａ、１１５ｂでは信号２２に対応して消去パワー１３２で発光する。
【００５２】
データの記録は記録領域１１６ｄの終端で終了するが、レーザ光は消去パワー１３２で発光を続け、アドレス領域１１３ｃの終端で信号２２に同期して消去パワー１３２から再生パワー１３３に立ち下がる。従って記録領域１１６ｄの終端とアドレス領域１１３ｃの始端における記録終了時の急激な熱条件の変化は抑えられる。
【００５３】
以上のように、本実施の形態の光ディスク装置では記録中に再生領域（図５では、サーボ領域１１５ａ，１１５ｂ及びアドレス領域１１３ｂ，１１３ｃ）を消去パワー１３２のレーザ光により照射することで、記録領域の始端及び終端における急激な熱条件の変化を抑えるとともに、記録する最後の記録領域の終端とその隣の再生領域の始端における急激な熱条件の変化をも抑えることが可能になり、光ディスクの劣化をより抑えることができる。
【００５４】
更に、記録時において、光スポットが再生領域を通過する際に、照射するレーザ光のパワーを再生パワー１３３まで落とす必要がなく、記録パワー１３１と消去パワー１３２の２値で照射パワーを制御すればよいので、記録のための回路を簡単にできる。
【００５５】
なお、上記実施の形態では、光ディスクのフォーマットは図１１で示されるフォーマットを例に説明したが、これに限らず、記録領域と再生領域が隣接する任意の書換型の光ディスクに対しても同等の効果を有する。
【００５６】
図７は、本発明にかかる第３の実施の形態の光ディスク装置のブロック図である。図７において、本実施の形態の光ディスク装置の構成が第２の実施の形態の光ディスク装置と異なるところは、記録するべき領域のアドレスを検出する記録アドレス検出回路４４の代わりに、記録するべき領域のアドレスの１つ前のアドレスを検出する記録直前アドレス検出回路７１と、ゲイン切り替え信号を一定時間遅延させる遅延回路７２を用いるところである。
【００５７】
ゲイン切り替え信号発生回路４８は、アドレス検出回路４３の出力信号４９と記録直前アドレス検出回路７１の出力信号８２に基づいて信号８３を出力する。信号８３は遅延回路７２に入力され、一定時間だけ遅延されてゲイン切り替え信号８４として出力される。この様子を図８に示す。
【００５８】
図８は、ゲイン切り替え信号８４を生成するためのタイミングチャートおよびレーザ６８の光スポット１１１０が通過する領域ごとのレーザ光の照射パワーを示す。なお図８は記録開始時および記録終了時のレーザ光の照射パワーの様子を明確にするために二つのアドレス領域１１３の間にある記録領域１１６及びサーボ領域１１５の数を減らしてある。
【００５９】
図８において、４９はアドレス検出回路４３の出力信号であり、アドレスを検出するたびにクロックが立つ。８２は記録直前アドレス検出回路７１の出力信号であり、記録するべきアドレスの１つ前のアドレスを検出するとクロックが立つ。８３はゲイン切り替え信号発生回路４８の出力であり、信号４９のクロックと信号８２のクロックが共に立ったときに立ち上がり、次に信号４９のクロックだけが立ったときに立ち下がる。
【００６０】
信号８３は遅延回路７２に入力されて一定時間だけ遅延されてゲイン切り替え信号８４になる。このときの遅延時間は、ゲイン切り替え信号８４がアドレス領域の途中で立ち上がるように設定する。
【００６１】
ゲイン切り替え信号８４が立ち上がると、ゲイン切り替え回路２１のスイッチ回路３７のスイッチが切り替わると共にレーザ駆動回路４１のスイッチ６１がオンになり、レーザ６８は消去パワー１３２で発光する。この状態で記録信号４１１が記録領域１１６で立ち上がるとレーザ駆動回路４１のスイッチ６２がオンになり、レーザ６８は記録パワー１３１で発光する。
【００６２】
８５はレーザ６８の光スポット１１１０が通過する領域ごとのレーザ光の照射パワーを示す。記録は記録領域１１６ａの始端から開始するが、レーザ光のパワーは、信号８４に同期してアドレス領域１１３ａの途中で再生パワー１３３から消去パワー１３２に立ち上がり、レーザ６８は、記録領域１１６ａ、１１６ｂ、１１６ｃ、１１６ｄでは信号８４、４１１に対応して記録パワー１３１と消去パワー１３２の２値で発光し、アドレス領域１１３ｂ、サーボ領域１１５ａ、１１５ｂでは信号８４に対応して消去パワー１３２で発光する。
【００６３】
記録は記録領域１１６ｄの終端で終了するがレーザ光は消去パワー１３２で発光を続け、アドレス領域１１３ｃの途中で信号８４に同期して消去パワー１３２から再生パワー１３３に立ち下がる。
【００６４】
従って、記録開始時のアドレス領域１１３ａの終端と記録領域１１６ａの始端における急激な熱条件の変化がなくなり、さらに記録動作終了時の記録領域１１６ｄの終端とアドレス領域１１３ｃの始端における急激な熱条件の変化もなくなる。
【００６５】
以上のように、本実施の形態の光ディスク装置では記録中に再生領域を消去パワー１３２のレーザ光で照射することにより、記録領域の始端及び終端における急激な熱条件の変化を抑えるとともに、記録動作に入る直前の再生領域の終端とその隣の記録領域の始端、および記録する最後の記録領域の終端とその隣の再生領域の始端における急激な熱条件の変化を抑えることが可能になり、光ディスクの劣化を更に抑えることができる。
【００６６】
なお、上記実施の形態では、光ディスクのフォーマットは図１１で示されるフォーマットを例に説明したが、これに限らず、記録領域と再生領域が隣接する任意の書換型の光ディスクに対しても同等の効果を有する。
【００６７】
また、上記実施の形態では、いずれもサーボ領域１１５を消去パワー１３２でレーザ光を照射するようにしたが、これに限らず、再生パワー１３３よりも大きい任意のパワーのレーザ光を照射するようにしてもよい。
【００６８】
また、上記実施の形態では、いずれも再生領域としてサーボ領域１１５を例に説明したが、これに限らず、前述のように記録領域以外の任意の再生領域に適用しても勿論よい。
【００６９】
また、上記実施の形態では、いずれも記録時における消去パワー１３２による再生を、全部の再生領域及び、各再生領域の全期間について行ったが、これに限らず、一部の再生領域のみでもよく、又、再生領域の始端と終端付近の一部の期間のみ消去パワー１３２により再生するようにしてもよい。
【００７０】
図９は、本発明に関連する一例の光ディスクのフォーマットの例を示す図である。すなわち、光ディスク９１は全周が複数のセクタ９２に分かれており、各セクタ９２は１つのアドレス領域１１３と、複数のセグメント９４に分かれている。各セグメント９４はサーボ領域９５と記録領域１１６に分かれている。
【００７１】
サーボ領域９５には千鳥足状のウォーブルピット１１８ａ、１１８ｂ及びクロックピット１１９が従来例と同様に形成され、更にサーボ領域９５の両端部にサーボ情報とは関係のないプリピット９６ａ、９６ｂが形成されている。これらウォーブルピット１１８ａ、１１８ｂ、クロックピット１１９、プリピット９６ａ、９６ｂはスタンピングの時にあらかじめ作られている。又、１１７はトラックの中心位置であり、１１１０は光スポットである。
【００７２】
図１０は、プリピット９６ａ、９６ｂ付近の光ディスクの一部を拡大した断面及び上面を示す図である。プリピット９６ａの左側（図面上）及びプリピット９６ｂの右側（図面上）は記録領域１１６である。プリピット９６ａの右側（図面上）及びプリピット９６ｂの左側（図面上）はサーボ領域９５である。
【００７３】
まず、記録領域１１６で繰り返し記録が行われると、記録膜１４１は熱による膨張、収縮を繰り返す。保護膜１４２は熱吸収量が記録膜１４１よりも小さいので熱膨張しにくいため、熱膨張をしている部分１０２は保護膜１４２から熱膨張を妨げる力１０１ａもしくは１０１ｂを受ける。
【００７４】
次に、熱膨張を妨げる力１０１ａの水平方向成分の力１０１０ａが記録膜中を伝わって、最終的にプリピット９６ａのすぐ左側の部分に伝わり更に右方向に移動しようとするがプリピット９６ａが障壁となって移動が抑えられる。
【００７５】
又、熱膨張を妨げる力１０１ｂの水平方向成分の力１０１０ｂが記録膜中を伝わって、最終的にプリピット９６ｂのすぐ右側の部分に伝わり更に左方向に移動しようとするがプリピット９６ｂが障壁となって移動が抑えられる。
【００７６】
以上のように、記録領域１１６の外側にサーボ情報とは関係のないプリピット９６ａ、９６ｂを設けることにより、プリピット９６ａ、９６ｂが障壁となって繰り返し記録を行ったときの記録膜物質の移動を抑えることができる。
【００７７】
なお、上記例では、サーボ領域９５の端部に円形状のプリピット９６ａ，９６ｂを設けて記録材料である記録膜物質の移動を抑制したが、これに限らず、例えば四角形等他の形状であってもよく、要するに記録材料の移動を抑制できるように保護膜が曲がっておればよい。
【００７８】
また、上記例では、プリピット９６ａ，９６ｂをサーボ領域９５の最端部に設けたが、これに限らず、記録材料の移動を抑制できれば、記録領域の外側の任意の場所であってもよい。
【００７９】
以上述べたところから明らかなように本発明は、光ディスクの記録領域の始端及び終端における記録材料の劣化を抑制することができるという長所を有する。
【００８０】
尚、本発明に関連する技術の他の発明は、データを記録する記録領域とアドレス領域とを有する光ディスクに記録再生を行う光ディスク装置の光駆動方法において、
前記データを記録する場合、前記アドレス領域の全部又は一部を、再生に用いる光のパワーより大きいパワーの光で照射し、且つその照射は、前記記録動作を開始する時刻の所定時間前から行い、及び／又は前記記録動作の終了後、所定時間経過後まで行うことを特徴とする光ディスク装置の光駆動方法である。
【００８１】
また、本発明に関連する技術の他の発明は、前記再生に用いる光のパワーより大きいパワーの前記光が、前記記録動作に用いられる消去パワーである上記光ディスク装置の光駆動方法である。
【００８２】
本発明に関連する技術の他の発明は、光パワー変更手段が、データを記録する場合、アドレス領域の全部又は一部を照射する光のパワーを、再生に用いる光のパワーより大きいパワーの光に変更し、データを記録するために必要な制御などの制御情報を光ディスクのアドレス領域から再生する場合、その変更された光により行う。
【産業上の利用可能性】
【００８３】
本発明にかかる光ディスク装置の記録方法、及び光ディスク装置は、光ディスクの記録領域の始端及び終端における記録材料の劣化を抑制することができるという効果を有し、例えば、光ディスク装置の記録方法、及び光ディスク装置等として有用である。
【図面の簡単な説明】
【００８４】
【図１】本発明にかかる第１の実施の形態の光ディスク装置及びその光駆動方法における、領域ごとのレーザ光の照射パワーの波形を示す図である。
【図２】同実施の形態の光ディスク装置のトラッキング信号検出系のブロック図である。
【図３】同実施の形態の光ディスク装置のゲイン切り替え回路のブロック図である。
【図４】本発明にかかる第２の実施の形態の光ディスク装置のブロック図である。
【図５】同実施の形態におけるタイミングチャートである。
【図６】同実施の形態の光ディスク装置のレーザ駆動回路及び光学ヘッドのブロック図である。
【図７】本発明にかかる第３の実施の形態の光ディスク装置のブロック図である。
【図８】同実施の形態におけるタイミングチャートである。
【図９】本発明に関連する一例の光ディスクのフォーマットの例を示す図である。
【図１０】同例の記録膜の熱膨張を説明する図である。
【図１１】従来の光ディスクのフォーマットの例を示す図である。
【図１２】従来の光ディスク装置のトラッキング信号検出回路のブロック図である。
【図１３】従来の光ディスク装置における領域ごとのレーザ光の照射パワーの波形を示す図である。
【図１４】同図（ａ）は、従来の光ディスクの一部断面図、同図（ｂ）は、その断面の拡大図である。
【符号の説明】
【００８５】
２０  再生信号
２１  ゲイン切り替え回路
２２  ゲイン切り替え信号
３７  スイッチ回路
４０  光学ヘッド
４１  レーザ駆動回路
４２  再生回路
４３  アドレス検出回路
４４  記録アドレス検出回路
４８  ゲイン切り替え信号発生回路
７１  記録直前アドレス検出回路
７２  遅延回路
９１  光ディスク
９２  セクタ
９４  セグメント
９５  サーボ領域
９６  プリピット
１１１  光ディスク
１１２  セクタ
１１３  アドレス領域
１１４  セグメント
１１５  サーボ領域
１１６  記録領域
１３１  記録パワー
１３２  消去パワー
１３３  再生パワー
１４１  記録膜
１４２  保護膜
【図１】
2005056577.tif 000003
【図２】
2005056577.tif 000004
【図３】
2005056577.tif 000005
【図４】
2005056577.tif 000006
【図５】
2005056577.tif 000007
【図６】
2005056577.tif 000008
【図７】
2005056577.tif 000009
【図８】
2005056577.tif 000010
【図９】
2005056577.tif 000011
【図１０】
2005056577.tif 000012
【図１１】
2005056577.tif 000013
【図１２】
2005056577.tif 000014
【図１３】
2005056577.tif 000015
【図１４】
2005056577.tif 000016